(57)【要約】【課題】マウスＣの操作時における手首から指先の冷え、手荒れ、疲労、ストレスなどの症状を緩和させることが課題である【解決手段】本体カバー１の内部を中間カバー２により操作空間３と手首保温部５を設けた密封保温層４の二層を上下に設け、操作空間３を手首から指先に覆い被せるように乗せる手段【選択図】図１
0003131725.tif 000002
【実用新案登録請求の範囲】
【請求項１】
立体的な本体カバーの内部を中間カバーによりマウスの操作空間と、手の放熱による熱を畜熱する密封保温層を上下に設けたことを特徴とした手の保温カバー。
【請求項２】
請求項１に記載した密封保温層には、操作空間に周辺冷気が手首部分の隙間からの入り込みを遮断、及び手首の保温、且つ保温カバー全体を手首で保持する手首保温部を設けたことを特徴とする手の保温カバー。
【請求項３】
請求項１、請求項２に記載した保温カバーを手首より指先に覆い被せるように乗せ手首で保持しマウスの操作を可能にしたことを特徴とする手の保温カバー。
【考案の詳細な説明】
【技術分野】
【０００１】本考案はコンピューターのマウス機器を使用する際の手首から指先が冷える症状を緩和させる保温カバーに関するものである。
【背景技術】
【０００２】現在室内の暖房に頼るのみで特に保温機能商品などは市場には皆無である。
【考案の開示】
【考案が解決しようとする課題】
【０００３】解決しようとする課題は、マウスの操作時における手首から指先の冷え症状が原因の疲労やストレス、手肌の荒れを緩和させる保温カバーを提供する事である。
【課題を解決するための手段】
【０００４】本考案は、立体型の本体カバー１の内部に中間カバー２を設けて密封保温層４と操作空間３の上下二層に分け、マウスＣを操作する操作空間３が周辺冷気の影響を少なくするように密封保温層４で遮るようにした。【０００５】密封保温層４を形成する手首保温部５の生地は本体カバー１のサイズより大きく弛ませた長さで生地を使用し、弛ませた手首部分にゴム紐６を縫合し本体カバー１の周囲と中間カバー２の周囲を縫合し、保温カバーＡを構成させた。【０００６】保温カバーＡを手首から指先まで覆い被せるように乗せてマウス操作に使用することで、本体カバー１の裾がマウスパッドＤの上を隙間を保持し、手首保温部５にて保温カバーＡを保持し手の移動と同一の移動をする手段にした。
【考案の効果】
【０００７】本考案は、本体カバー１及び中間カバー２に保温性の高い生地を使用した場合はもとより、保温性の少ない生地を使用した場合でも密封保温層４を設けることで、保温性の高い生地を一層で使用した場合よりも操作空間３の温度は格段に上昇し、保温カバーＡの内部全体の温度を保持でき、マウスＣを操作するのに快適な温度が維持され、手首から保温する事で疲労などのストレスを緩和し、且つ乾燥を防ぎ手肌の荒れ予防の効果が上がる。【０００８】密封保温層４を設けることで、保温カバーＡ内部の温度が体温の放熱により体温近くまで短時間で上昇し快適な操作空間３を素早く作り出すことが可能になった、またマウスＣの操作後には密封保温層４が保温カバーＡ内部の温度を保持し冷め難くする事で、再度マウスＣの操作に戻った場合には元の操作時点の温度に戻る回復力が増すこととなった。【０００９】手首保温部５にて手首を保持し、操作空間３を手首から指先までに覆い被せるように乗せる構造であるから保温カバーＡがマウスＣの操作時に、手の移動と同一の移動をすることでコードタイプやコードレスタイプには関係なく使用でき取扱いが簡単で且つ利便性が高い。【００１０】保温カバーＡがマウスＣ全体を覆うことで周辺からのホコリを遮断し故障を起こす原因を少なくして快適な操作性が維持できる。【００１１】立体的に形成した保温カバーＡの外壁はコンピューター操作のストレスを視覚の面からも緩和できる装飾性の要素も多くインテリア性を高める事も可能である。
【考案を実施するための最良の形態】
【００１２】保温カバーＡには密封保温層４を設けるため立体型で、その内部を中間カバー２により上下に操作空間３と密封保温層４を設けた、中間カバー２には手首保温部５を設け、周辺冷気の侵入を防ぎ保温を兼ねる形態にした。
【実施例】
【００１３】図１は、立体型の本体カバー１の内部を中間カバー２により上下に二層の操作空間３と密封保温層４を設けた、中間カバー２は操作空間３を手首から指先に覆い被せるように乗せた段階で手の形状に押し上げ体温の放熱された熱が直接中間カバー２を通過し密封保温層４に畜熱され、且つ保温カバーＡ内部全体の温度が早く上昇する。【００１４】マウスＣの操作時、手首と中間カバー２の隙間から操作空間３への周辺冷気の侵入を防ぐために密封保温層４に手首保温部５を延設させた、手首保温部５は中間カバー２の手首部分の生地を弛ませて形成するためその部位を大きく裁断し、弛ませた部位にゴム紐６を縫合、又はギャザー縫にて生地を寄せ、中間カバー２を本体カバー１のコの字型部位７に合わせ周囲を縫合し、手首保温部５を延設した密封保温層４に成形し保温カバーＡを構成させた。また、手首保温部５を形成するため延設以外に別に成形した生地を中間カバー２に縫合し連設することも可能である。【００１５】本体カバー１は手の大きさに対し適宜な生地の巾と長さと高さを有し、コの字型部位７に、中間カバー２の末端を縫合し手首保温部５を成形することでコの字型部位７をゴム紐の引き具合によりＣ字型に変形させ手首の下迄まわり込みジャストフィットすることで、保温カバーＡが保持され外れ難くなる。【００１６】本考案の保温システムは、操作空間３及び密封保温層４の温度は、手首保温部５を手首に合わせ指先まで操作空間３を覆い被せるように乗せた状態で体温の放熱により操作空間３と密封保温層４の温度が上昇する、密封保温層４の空気は滞留しているため一度上昇すると冷め難い、一方下層の操作空間３には周辺冷気が入り温度が冷め易い構造ではあるが、再度操作空間３を覆い被せた場合に手の甲が密封保温層４に接しているため暖気を手の甲で感じる事で手首より指先がより暖かくなるシステムである。
【産業上の利用可能性】
【図面の簡単な説明】
【００１７】
【図１】使用状態の一部断面斜視図である。
【図２】使用状態の横断側面図である。
【図３】コの字型部位のＣ字型変形の背面図である。
【符号の説明】
【００１８】  １    本体カバー
２    中間カバー
３    操作空間
４    密封保温層
５    手首保温部
６    ゴム紐
７    コの字型部位
Ａ    保温カバー
Ｂ    手
Ｃ    マウス
Ｄ    マウスパッド
【図１】
0003131725.tif 000003
【図２】
0003131725.tif 000004
【図３】
0003131725.tif 000005
【手続補正書】
【提出日】平成19年2月5日(2007.2.5)
【手続補正１】
【補正対象書類名】実用新案登録請求の範囲
【補正対象項目名】全文
【補正方法】変更
【補正の内容】
【実用新案登録請求の範囲】
【請求項１】
立体的な本体カバーの内部を中間カバーによりマウスの操作空間の層と、手の放熱による熱を畜熱する密封保温層の二層を上下に設けたことを特徴とした手の保温カバー。
【請求項２】
操作空間に周辺冷気が手首部分の隙間からの入り込みを遮断、及び手首の保温、且つ手の保温カバー全体を手首部分で保持する手首保温部を設けたことを特徴とする請求項１に記載の手の保温カバー。
【請求項３】
保温カバーを手首より指先に覆い被せるように乗せ手首で保持しマウスの操作を可能にしたことを特徴とする請求項１または請求項２に記載の手の保温カバー。